(57)【要約】【課題】表面に商品名や商品説明など方向性のある表示部３ｅ，３ｆを設けた陳列台１であっても、筆記具４などの棒状物を縦置き横置きいずれの方向でも陳列可能な棒状物陳列台１を提供する。【解決手段】棒状物陳列台１が、外形が正方形形状で表面２ａに棒状物４を保持する溝部２ｂを有した保持皿２と、表面側に保持皿２を収容させる凹部３ａを有した基台３とを備えた。また基台３を長方形形状とし、基台３の短辺の長さＳと保持皿２の一辺の長さＴとを等しく形成し、且つ基台３の凹部３ａを該基台３の長辺側縁部３ｂに開口させる。【選択図】図３
2012050663.tif 000002
【特許請求の範囲】
【請求項１】
表面に設けた溝部に棒状物を保持させて陳列する棒状物陳列台であって、外形が正方形形状で表面に棒状物を保持する溝部を有した保持皿と、表面側に前記保持皿を収容させる凹部を有した基台とを備えたことを特徴とする棒状物陳列台。
【請求項２】
前記基台を長方形形状とし、前記基台の短辺の長さと前記保持皿の一辺の長さとを等しく形成し、且つ前記基台の凹部を該基台の長辺側縁部に開口させたことを特徴とする請求項１に記載の棒状物陳列台。
【請求項３】
前記保持皿の裏面に、前記保持皿の表面に設けた溝部の数と異なる数である複数の棒状物を保持する溝部を設けたことを特徴とする請求項１又は２に記載の棒状物陳列台。
【請求項４】
前記保持皿の裏面に、前記保持皿の表面に設けた溝部の巾と異なる巾である棒状物を保持する溝部を設けたことを特徴とする請求項１乃至３のいずれか１項に記載の棒状物陳列台。
【請求項５】
前記保持皿の裏面に棒状物を保持する溝部を形成すると共に、当該保持皿の表面と裏面とで色を異ならせたことを特徴とする請求項１乃至４のいずれか１項に記載の棒状物陳列台。
【発明の詳細な説明】
【技術分野】
【０００１】
本発明は、筆記具等の棒状物を台の表面側に設けた溝部に保持させて陳列する陳列台に関する。
【背景技術】
【０００２】
従来より、万年筆などのように高価格の筆記具は、店内に設置されたガラス製のショーケース内に収めて陳列する場合が多く、この場合には、特表平１０−５００３２９号公報に記載されているように、台の表面側に設けた複数の溝に筆記具を保持させて陳列することが多い。またショーケース内は、各社の様々な商品が陳列されることから、筆記具を陳列する陳列台の表面に、当該筆記具の商品名や商品説明などの表示部を印刷やプレートで設け、商品を解りやすく、また見栄えよく陳列させることが求められている。
【０００３】
ところで筆記具のような棒状物は、縦置きと横置きとがはっきりすることから、ショーケース内に数多く収容した筆記具の全体としての統一的な見栄えをよくするために、縦置き横置きいずれもが選択可能な陳列台が求められている。しかしながら、陳列台に、前述の表示部を設けた場合には、文字や模様の並びの方向性から、陳列する筆記具の縦横方向の方向性が制限されてしまうという問題があった。
【先行技術文献】
【特許文献】
【０００４】
【特許文献１】特表平１０−５００３２９号公報
【発明の開示】
【発明が解決しようとする課題】
【０００５】
本発明はこうした問題を鑑みて、表面に商品名や商品説明などの方向性がある表示部を設けた陳列台であっても、筆記具などの棒状物を縦置き横置きいずれの方向でも陳列可能な棒状物陳列台を提供することを目的とした。
【課題を解決するための手段】
【０００６】
本発明は、
「１．表面に設けた溝部に棒状物を保持させて陳列する棒状物陳列台であって、外形が正方形形状で表面に棒状物を保持する溝部を有した保持皿と、表面側に前記保持皿を収容させる凹部を有した基台とを備えたことを特徴とする棒状物陳列台。
２．前記基台を長方形形状とし、前記基台の短辺の長さと前記保持皿の一辺の長さとを等しく形成し、且つ前記基台の凹部を該基台の長辺側縁部に開口させたことを特徴とする１項に記載の棒状物陳列台。
３．前記保持皿の裏面に、前記保持皿の表面に設けた溝部の数と異なる数である複数の棒状物を保持する溝部を設けたことを特徴とする１項又は２項に記載の棒状物陳列台。
４．前記保持皿の裏面に、前記保持皿の表面に設けた溝部の巾と異なる巾である棒状物を保持する溝部を設けたことを特徴とする１乃至３項のいずれか１項に記載の棒状物陳列台。
５．前記保持皿の裏面に棒状物を保持する溝部を形成すると共に、当該保持皿の表面と裏面とで色を異ならせたことを特徴とする１乃至４項のいずれか１項に記載の棒状物陳列台。」である。
【０００７】
本発明において保持皿の外形を縦横の長さが等しい正方形形状とするのは、保持皿を収容する基台の凹部に係止させる保持皿の縦横の方向性をなくすためである。例えば基台の前後部に横書きの商品名から成る表示部を設けた場合、保持皿に形成した溝部が前記表示部の文字の並び方向に対して直交する方向となるように保持皿を基台の凹部に係止させた状態では、棒状物を縦置きの状態で陳列させることが可能となり、また保持皿に形成した溝部が前記表示部の文字の並び方向に対して平行する方向となるように保持皿を基台の凹部に係止させた状態では、棒状物を横置きの状態で陳列させることが可能となる。
【０００８】
基台の外形形状に制約はなく、正方形形状や長方形形状あるいは三角形形状など適宜選択することが可能であるが、保持皿を基台の凹部に収容した際に、当該保持皿の端が基台の縁部からはみ出さない形状にすることが肝要である。
【０００９】
保持皿の溝部の巾や深さは、保持皿に陳列させる棒状部材の軸径に応じて適宜設定すればよく、溝部の本数は、保持皿に陳列させたい商品数などに応じて設ければよい。また保持皿の裏面にも溝部を形成し、保持皿の裏面に形成する溝部の本数を、保持皿の表面に形成した溝部の本数と異ならせることにより、例えば商品の色や形状の種類が増えた場合や、あるいは種類が減った場合などにも対応が可能なものとなる。また保持皿に形成する溝部の巾を、表面と裏面とで異ならせることにより、保持皿の表面側と裏面側とで、異なる軸径の棒状部材を陳列することが可能となる。さらに保持皿の表面と裏面との色を異ならせることにより、例えば保持皿の表面を白色に、裏面を黒色とした場合には、淡色の棒状物を陳列するときには保持皿の裏面側（黒色）に陳列した方が見やすく、濃色の棒状物を陳列するときには保持皿の表面側（白色）に陳列した方が見やすいものになる。
【発明の効果】
【００１０】
本発明では、外形が正方形形状で表面に棒状物を保持させて陳列する溝部を有した保持皿と、表面側に保持皿を収容させる凹部を有した基台とを備えた棒状物陳列台とすることで、陳列台の表面に商品名や商品説明など縦横の方向性がある表示部を設けても、筆記具などの棒状物を縦置き横置きいずれの方向でも陳列可能な棒状物陳列台が得られ、さらに基台を長方形形状とし、基台の短辺の長さと保持皿の一辺の長さとを等しく形成し、且つ基台の凹部を該基台の長辺側縁部に開口させることで、基台の巾を狭くすることが可能となり、ショーケース内に陳列台が設置しやすいものとなる。
【図面の簡単な説明】
【００１１】
【図１】図１は、本実施例の棒状物陳列台に筆記具を陳列した第一の状態を示す斜視図である。
【図２】図２は、図１を平面視した図である。
【図３】図３は、図１の状態から他の状態に変更する時の斜視図である。
【図４】図４は、本実施例の棒状物陳列台に筆記具を陳列した第二の状態を示す図である。
【図５】図５は、本実施例の棒状物陳列台に筆記具を陳列した第三の状態を示す図である。
【発明を実施するための形態】
【００１２】
表面に商品名や商品説明など方向性のある表示部を設けた陳列台であっても、筆記具などの棒状物を縦置き横置きいずれの方向でも陳列可能な棒状物陳列台を実現した。
【実施例】
【００１３】
次に図面を参照しながら本実施例の説明を行う。図中の同じ部材、同じ部品については、同じ符号としてある。本実施例では筆記具を陳列する陳列台を例にあげて述べるが、本発明は以下の実施例に限定されるものではない。また説明においては陳列台に設けた文字から成る表示部の方向を基準に、前後左右方向の説明を行うものとする。
【００１４】
図１及び図２に示すように、陳列台１は、外形が正方形形状である保持皿２を、保持皿２の表面２ａに形成した５本の直線状の溝部２ｂが基台３の長手方向に沿って配置されるようにして、基台３の表面側に設けた凹部３ａに収容してある。また、図１に示すように本実施例の基台３は、長方形形状であり、基台３の短辺の長さＳと、正方形形状である保持皿２の一辺の長さＴとを等しく形成し、凹部３ａを基台３の長辺側縁部３ｂ側に開口させている。また基台３には、凹部３ａの前後方向に延出した延出部３ｃ，３ｄを設けてあり、延出部３ｃ，３ｄは、前後に向かうにしたがって厚さが薄くなるテーパー状に形成してある。また前方の延出部３ｃの表面には、印刷した横書きの商品説明を表わす文字ＡＢＣＤＥを表示部３ｅとして設けてあり、後方の延出部３ｄの表面には、印刷した横書きの商品名を表わす星形の模様を表示部３ｆとして設けてある。図１及び図２に示した状態の陳列台１は、基台３の前後部に設けた横書きの表示部３ｅ，３ｆの並び方向に対して、保持皿２に形成した溝部２ｂが直交していることから、保持皿２の溝部２ａに保持された筆記具４は、縦置きの状態となる。尚、本実施例は、黒色の筆記具４に対して、保持皿２の表面２ａを白色としてあり、商品である筆記具４を見やすい状態にすることができた。
【００１５】
次に図３を用いて、陳列台１を図１の状態から他の状態に変更する時について説明を行う。図３は、保持皿２を基台３の凹部３ａから取り外して水平方向に９０度回転させ、再び保持皿２を基台３の凹部３ａに収容する時の図である。本実施の陳列台１は、図に示す通り、保持皿２に複数の筆記具４を保持させた状態であっても容易に陳列方向を変更することが可能である。図３のようにして水平方向に９０度回転させた保持皿２の溝部２ｂは、基台３の前後部に設けた横書きの表示部３ｅ，３ｆに対して平行した状態となることから、図４に示すように保持皿２の溝部２ａに配設された筆記具４は、横置きの状態となる。
【００１６】
また図５に示すように、本実施例の保持皿２の裏面２ｃには３本の直線状の溝部２ｄを形成してあり、図４の状態の保持皿２を上下１８０度回転させて、基台２の凹部３ａに収容させることにより、保持皿２に最大３本の筆記具を陳列することが可能な状態にできる。尚、本実施例の保持皿２の裏面２ｃに形成した溝部２ｄは、表面２ａに形成した溝部２ｂより巾広で深く形成してあり、図５に示すように、図１で示した筆記具４の軸径より太い軸径の筆記具５を溝部２ｄに配設することができた。また保持皿２の裏面２ｃは黒色にしてあり、白色の筆記具５が見やすい状態になっている。また図示はしないが、図５の状態の保持皿２を水平方向に９０度回転させることにより、筆記具５を縦置きの状態から横置きの状態に容易に変更することができる。
【産業上の利用可能性】
【００１７】
本願発明による棒状物陳列台は、筆記具以外にも化粧具や塗布具など小型の棒状物の陳列台として使用することが可能である。
【符号の説明】
【００１８】
１…陳列台、
２…保持皿、２ａ…表面、２ｂ…溝部、２ｃ…裏面、２ｄ…溝部、
３…基台、３ａ…凹部、３ｂ…長辺側縁部、３ｃ…延出部、
３ｄ…延出部、３ｅ…表示部、３ｆ…表示部、
Ｓ…基台の短辺の長さ、Ｔ…保持皿の一辺の長さ、
４…筆記具、５…筆記具。
【図１】
2012050663.tif 000003
【図２】
2012050663.tif 000004
【図３】
2012050663.tif 000005
【図４】
2012050663.tif 000006
【図５】
2012050663.tif 000007